(57)【特許請求の範囲】
【請求項１】
ドーム状の頂板に反転基部４及び複数の開閉羽５を画成するとともに、各開閉羽５をそれぞれ連結片６を介して反転基部４に連結してなる容器の蓋であって、反転基部４は、中央の押圧部4aより放射状に複数の帯状部4bを延設するとともに、各帯状部4bの内外方向中間位置を横断するヒンジ７をそれぞれ設けて各ヒンジ内側部分を下方へ弾性反転可能に形成してなり、各開閉羽５は、帯状部一側縁部から押圧部縁部を介して連続する帯状部側縁部を通り、且つ両帯状部下端間を周縁部に沿って連結する環状分離線８によってそれぞれ画成するとともに、一側縁部を隣接する帯状部側縁部に、ヒンジ７両側位置に於ける連結片６を介して一体に連結したことを特徴とする容器の蓋。
【請求項２】
上記開閉羽５に代えて、帯状部側縁部から押圧部縁部を介して連続する帯状部4b側縁部を通り、且つ両帯状部下端間を周縁部に沿って連結する環状分離線８によってそれぞれ画成するとともに、両側縁部を各々隣接する帯状部側縁部に、ヒンジ７より中央側位置に於ける連結片６を介して一体に連結し、且つ、各連結片はそれぞれ帯状部4bに沿って中央側に傾斜上昇する平板状をなす開閉羽５を設けてなる請求項１記載の容器の蓋。
【発明の詳細な説明】
【０００１】
【発明の属する技術分野】
本発明は容器の蓋に関し、詳しくは、芳香剤等の揮発性物質を収納する容器等に被着させるのに好適な容器の蓋に関する。
【０００２】
【従来の技術】
芳香剤等の揮発性物質などを収納する容器では、収納物の揮発量の経時変化により開口部の開口面積を相違させることができるよう構成したものがある。この様な容器として、例えば以下の如き蓋を備えたものが提案されている。即ち、伏椀状の蓋体の頂板部を周辺の固定部と中央の可動部とに分割線空間を介して分割し、可動部は高位置の中央押動部とこの中央押動部から放射状に延びる複数の可動片部とからなり、各可動片部はその内外方向中間位置の両側において１対の連結軸部によって周辺固定部に結合され、また、各可動片部は中央押動部と連結軸部との中間位置においてヒンジ部を有し、中央押動部を押し下げたとき各可動片部の先端が上方へ開き、可動片部の先端を押し下げたとき中央押動部及び各可動片部がもとの位置に戻るように構成するとともに、全体を樹脂で一体成形している。（特開平１０−２９１５５３号）
【０００３】
この種の蓋は必要に応じて開口部の開口面積を広くすることができる便利があり、収納物の揮発量の多い使用当初には通常の狭い開口面積で使用し、揮発量が少なくなった際に開口面積を広げることにより変わらぬ効果を得られるものである。しかしながら、各可動片部の先端が上方へ開いている広い開口状態では連結軸部が常時捩じれた状態で元に戻ろうとする状態であり、しかも、各可動片部はヒンジに於いて屈折しているだけであるため、広い開口状態を安定的に維持する点で未だ満足のいかない部分があった。
【０００４】
【発明が解決しようとする課題】
本発明は上記した如き芳香剤等の揮発性物質を収納する容器に被着する蓋であって、必要に応じて簡単な操作で開口部の大小を変化させることができ、しかも、狭い開口面積の場合はもとより、広い開口面積での安定した状態を維持でき、構造も極めて簡単で合成樹脂により一体成形が可能な優れた容器の蓋を提案するものである。
【０００５】
【課題を解決するための手段】
本請求項１発明の容器の蓋は上記課題を解決するため、ドーム状の頂板に反転基部４及び複数の開閉羽５を画成するとともに、各開閉羽５をそれぞれ連結片６を介して反転基部４に連結してなる容器の蓋であって、反転基部４は、中央の押圧部4aより放射状に複数の帯状部4bを延設するとともに、各帯状部4bの内外方向中間位置を横断するヒンジ７をそれぞれ設けて各ヒンジ内側部分を下方へ弾性反転可能に形成してなり、各開閉羽５は、帯状部一側縁部から押圧部縁部を介して連続する帯状部側縁部を通り、且つ両帯状部下端間を周縁部に沿って連結する環状分離線８によってそれぞれ画成するとともに、一側縁部を隣接する帯状部側縁部に、ヒンジ７両側位置に於ける連結片６を介して一体に連結したことを特徴とする容器の蓋として構成した。
【０００６】
また、請求項２発明の容器の蓋は、上記開閉羽５に代えて、帯状部側縁部から押圧部縁部を介して連続する帯状部4b側縁部を通り、且つ両帯状部下端間を周縁部に沿って連結する環状分離線８によってそれぞれ画成するとともに、両側縁部を各々隣接する帯状部側縁部に、ヒンジ７より中央側位置に於ける連結片６を介して一体に連結し、且つ、各連結片はそれぞれ帯状部4bに沿って中央側に傾斜上昇する平板状をなす開閉羽５を設けてなる請求項１記載の容器の蓋として構成した。
【０００７】
【発明の実施の形態】
以下、本発明の実施例の形態を図面を参照して説明する。
【０００８】
図１乃至図４は本発明の容器の蓋の一実施例を示し、蓋１は合成樹脂により一体に形成されたもので、周壁２上端縁よりドーム状の頂板３を延設するとともに、頂板３に反転基部４及び複数の開閉羽５を画成し、また、各開閉羽５をそれぞれ連結片６を介して反転基部４に一体に連結している。
【０００９】
反転基部４は、中央の押圧部4aより放射状に複数の帯状部4bを延設するとともに、各帯状部4bの内外方向中間位置を横断するヒンジ７をそれぞれ設けて各ヒンジ７内側部分を下方へ弾性反転可能に形成している。帯状部4bの数は図示例の如き４箇所に限らず、３箇所でも５箇所以上であっても良いが、同幅で同間隔に設けると後述する隙間を四方均等に得られて良い。
【００１０】
開閉羽５は、帯状部側縁部から押圧部縁部を介して連続する帯状部側縁部を通り、且つ両帯状部下端間を周縁部に沿って連結する環状分離線８によってそれぞれ画成するとともに、一側縁部を隣接する帯状部側縁部に、ヒンジ７両側位置に於いて、連結片６を介して一体に連結している。各連結片６の具体的形態は、反転基部４を反転した際に開閉羽５が変移した状態を維持可能な太さ，形状であれば種々採用できるが、例えば、図示例の如く平板状であっても、或いは細棒状のものであっても良い。また、環状分離線８は、通常の状態で被着した容器の収納物を揮散させるためのもので、その開口幅等は必要に応じて適宜選択すると良い。
【００１１】
上記した蓋１は、図２に示す如く、容器９に装着して使用する。図示例では、円筒状をなす容器９の上端に周壁２を嵌合させて装着している。また、容器９の外周上部に周設した下向き段部10に、周壁２内周下端部に周設した係合突条11をを乗り越え係合させ、また、周壁２内面に周方向複数突設したリブ12下面を容器９上面に当接係止させている。この状態から押圧部4aを押し下げると、各ヒンジ７内側の反転基部４が下方に弾性的に反転する。この際各開閉羽５は、内側の各連結片６が下方へ下がるため図４に示す如く、反転基部４との間により大きな隙間ｄを生じる。また、反転基部４を下方へ反転させた状態から元の状態に戻す場合には、例えば、開閉羽５の連結片側の外方コーナー部分を押し下げれば行える。また、押圧部上面に引き上げ用の突起を設けることも可能である。
【００１２】
図５乃至図８は本発明の他の実施例を示し、本実施例では、図１の実施例に於いて、開閉羽５の両側縁部を各々隣接する帯状部側縁部と、ヒンジ７より中央側位置に於いてそれぞれ帯状部4bに沿って中央側に傾斜上昇する平板状の連結片６を介して、一体に連結している。本実施例の場合、反転基部４を押し下げ反転させると、図７及び図８に示す如く、各開閉羽５が外側縁を上方に移行する如く変移して頂板３縁部との間により大きな隙間ｄを生じる。このことは、常態では各連結片６が中心側に傾斜上昇していたのが、反転基部４の反転により中心側に傾斜下降するため生じる。この場合も例えば開閉羽５の外側端部を押し下げれば元の状態に戻る。
【００１３】
【発明の効果】
以上説明した如く本発明の容器の蓋は、既述構成としたことにより、開閉羽５が開かない状態では、その周囲の環状分離線８部分の隙間において容器内と外部とを狭い開口面積で連通させ、必要に応じて押圧部4aを押し下げることにより各開閉羽５が反転して広い開口面積で連設させることができ、しかも、反転基部４が弾性反転状態にあるため、各開閉羽５が完全に弾性反転した状態でなく負荷が掛かった状態で反転していても充分安定状態を維持することができるものである。
【図面の簡単な説明】
【図１】本発明の一実施例を示す平面図である。
【図２】同実施例の縦断面図である。
【図３】同実施例の反転基部を反転させた状態の要部縦断面図である。
【図４】同実施例の反転基部を反転させた状態の斜視図である。
【図５】本発明の他の実施例を示す平面図である。
【図６】同実施例の縦断面図である。
【図７】同実施例の反転基部を反転させた状態の要部縦断面図である。
【図８】同実施例の反転基部を反転させた状態の斜視図である。
【符号の説明】
３…頂板，４…反転基部，4a…押圧部，4b…帯状部，５…開閉羽，
６…連結片，７…ヒンジ，８…環状分離線
【図１】
0003929695.tif 000002
【図２】
0003929695.tif 000003
【図３】
0003929695.tif 000004
【図４】
0003929695.tif 000005
【図５】
0003929695.tif 000006
【図６】
0003929695.tif 000007
【図７】
0003929695.tif 000008
【図８】
0003929695.tif 000009